(57)【要約】【課題】監視対象の機器を容易に特定可能な携帯端末を得ること。【解決手段】携帯端末１、ＰＬＣ３および配電盤４から構成される配電盤監視システムの携帯端末１であって、配電盤４の構成情報を保持する構成情報保存部１２と、構成情報に基づいて、監視対象の配電盤４の構成を表示する表示部１１と、監視対象の配電盤４の構成から監視対象の配電機器を選択する機器選択手段と、ＰＬＣ３との間で情報の送受信を制御する制御部１３と、を備え、監視対象の配電盤４が、ＰＬＣ３が備えるメモリ３３に格納されている監視対象機器の情報を取得して表示する場合に、携帯端末１の制御部１３は、機器選択手段で選択された監視対象の配電機器の情報をメモリ３３に格納する。【選択図】図２
2015216751.tif 000002
【特許請求の範囲】
【請求項１】
携帯端末、管理装置および複数の配電盤から構成される配電盤監視システムの前記携帯端末であって、
各配電盤の構成情報を保持する構成情報保存手段と、
前記構成情報に基づいて、監視対象の配電盤の構成を表示する携帯端末表示手段と、
前記監視対象の配電盤の構成から監視対象の配電機器である監視対象機器を選択する機器選択手段と、
前記管理装置との間で情報の送受信を制御する携帯端末制御手段と、
を備え、
前記監視対象の配電盤が、前記管理装置が備えるメモリ手段に格納されている前記監視対象機器の情報を取得して表示する場合に、
前記携帯端末の前記携帯端末制御手段は、前記機器選択手段で選択された前記監視対象機器の情報を前記メモリ手段に格納する、
ことを特徴とする携帯端末。
【請求項２】
前記監視対象の配電盤が、前記メモリ手段に格納されている前記監視対象機器の情報および規定された文字情報を表示する場合に、
前記携帯端末制御手段は、前記機器選択手段で選択された前記監視対象機器の情報および規定された文字情報を前記メモリ手段に格納する、
ことを特徴とする請求項１に記載の携帯端末。
【請求項３】
携帯端末、管理装置および複数の配電盤から構成される配電盤監視システムの前記携帯端末であって、
各配電盤の構成情報を保持する構成情報保存手段と、
前記構成情報に基づいて、監視対象の配電盤の構成を表示する携帯端末表示手段と、
前記管理装置との間で情報の送受信を制御する携帯端末制御手段と、
を備え、
監視対象の配電盤が、監視対象の配電機器である監視対象機器の情報を、前記管理装置が備えるメモリ手段に格納する場合に、
前記携帯端末制御手段は、前記メモリ手段に格納されている前記監視対象機器の情報を取得し、前記携帯端末表示手段に表示する、
ことを特徴とする携帯端末。
【請求項４】
前記携帯端末制御手段は、前記監視対象機器に対して規定された表示パターンを前記携帯端末表示手段に表示する、
ことを特徴とする請求項３に記載の携帯端末。
【請求項５】
前記監視対象の配電盤が、前記監視対象機器の情報および規定された文字情報を、前記メモリ手段に格納する場合に、
前記携帯端末制御手段は、前記メモリ手段に格納されている前記監視対象機器の情報および前記文字情報を取得し、前記携帯端末表示手段に表示する、
ことを特徴とする請求項３または４に記載の携帯端末。
【請求項６】
携帯端末、管理装置および複数の配電盤から構成される配電盤監視システムの前記管理装置であって、
前記携帯端末および前記配電盤との間で情報の送受信を制御する管理装置制御手段と、
前記携帯端末または監視対象の配電盤で選択された、監視対象の配電盤が備える監視対象の配電機器である監視対象機器の情報を格納するメモリ手段と、
を備えることを特徴とする管理装置。
【請求項７】
前記メモリ手段は、前記監視対象機器の情報とともに規定された文字情報を格納する、
ことを特徴とする請求項６に記載の管理装置。
【請求項８】
携帯端末、管理装置および複数の配電盤から構成される配電盤監視システムの前記配電盤であって、
１つ以上の配電機器と、
前記配電機器に対する制御情報を表示する配電盤表示手段と、
前記管理装置との間で情報の送受信を制御する配電盤制御手段と、
を備え、
前記携帯端末が、監視対象の配電盤の構成から選択した監視対象の配電機器である監視対象機器の情報を管理装置が備えるメモリ手段に格納する場合に、
前記配電盤制御手段は、前記メモリ手段に格納されている前記監視対象機器の情報を取得し、前記配電盤表示手段に表示する、
ことを特徴とする配電盤。
【請求項９】
前記携帯端末が、前記監視対象機器の情報および規定された文字情報を前記メモリ手段に格納する場合に、
前記配電盤制御手段は、前記メモリ手段に格納されている前記監視対象機器の情報および前記文字情報を取得し、前記配電盤表示手段に表示する、
ことを特徴とする請求項８に記載の配電盤。
【請求項１０】
前記監視対象機器を識別可能な表示灯を備え、
前記表示灯は、少なくとも、点灯、点滅、消灯、または表示色の変化により、前記監視対象機器を示す、
ことを特徴とする請求項８または９に記載の配電盤。
【請求項１１】
携帯端末、管理装置および複数の配電盤から構成される配電盤監視システムの前記配電盤であって、
１つ以上の配電機器と、
前記配電機器に対する制御情報を表示する配電盤表示手段と、
監視対象の配電機器である監視対象機器を選択する機器選択手段と、
前記管理装置との間で情報の送受信を制御する配電盤制御手段と、
を備え、
前記携帯端末が、前記管理装置が備えるメモリ手段に格納されている前記監視対象機器の情報を取得して表示する場合に、
前記配電盤制御手段は、前記機器選択手段で選択された前記監視対象機器の情報を前記メモリ手段に格納する、
ことを特徴とする配電盤。
【請求項１２】
前記携帯端末が、前記メモリ手段に格納されている前記監視対象機器の情報および規定された文字情報を取得して表示する場合に、
前記配電盤制御手段は、前記機器選択手段で選択された前記監視対象機器の情報および前記文字情報を前記メモリ手段に格納する、
ことを特徴とする請求項１１に記載の配電盤。
【請求項１３】
携帯端末、管理装置および複数の配電盤から構成される配電盤監視システムであって、
前記携帯端末は、
各配電盤の構成情報を保持する構成情報保存手段と、
前記構成情報に基づいて、監視対象の配電盤の構成を表示する携帯端末表示手段と、
前記監視対象の配電盤の構成から監視対象の配電機器である監視対象機器を選択する機器選択手段と、
前記管理装置との間で情報の送受信を制御する携帯端末制御手段と、
を備え、
前記管理装置は、
前記携帯端末および前記配電盤との間で情報の送受信を制御する管理装置制御手段と、
前記携帯端末から取得した情報を格納するメモリ手段と、
を備え、
各配電盤は、
１つ以上の配電機器と、
前記配電機器に対する制御情報を表示する配電盤表示手段と、
前記管理装置との間で情報の送受信を制御する配電盤制御手段と、
を備え、
前記携帯端末の前記携帯端末制御手段は、前記機器選択手段で選択された前記監視対象機器の情報を、前記管理装置制御手段経由で前記メモリ手段に格納し、
前記監視対象の配電盤の前記配電盤制御手段は、前記メモリ手段に格納されている前記監視対象機器の情報を、前記管理装置制御手段経由で取得し、前記配電盤表示手段に表示する、
ことを特徴とする配電盤監視システム。
【請求項１４】
前記携帯端末の前記携帯端末制御手段は、前記機器選択手段で選択された前記監視対象機器の情報および規定された文字情報を、前記管理装置制御手段経由で前記メモリ手段に格納し、
前記監視対象の配電盤の前記配電盤制御手段は、前記メモリ手段に格納されている前記監視対象機器の情報および前記文字情報を、前記管理装置制御手段経由で取得し、前記配電盤表示手段に表示する、
ことを特徴とする請求項１３に記載の配電盤監視システム。
【請求項１５】
各配電盤が、前記監視対象機器を識別可能な表示灯を備え、
前記表示灯は、少なくとも、点灯、点滅、消灯、または表示色の変化により、前記監視対象機器を示す、
ことを特徴とする請求項１３または１４に記載の配電盤監視システム。
【請求項１６】
携帯端末、管理装置および複数の配電盤から構成される配電盤監視システムであって、
前記携帯端末は、
各配電盤の構成情報を保持する構成情報保存手段と、
前記構成情報に基づいて、監視対象の配電盤の構成を表示する携帯端末表示手段と、
前記管理装置との間で情報の送受信を制御する携帯端末制御手段と、
を備え、
前記管理装置は、
前記携帯端末および前記配電盤との間で情報の送受信を制御する管理装置制御手段と、
前記配電盤から取得した情報を格納するメモリ手段と、
を備え、
各配電盤は、
１つ以上の配電機器と、
前記配電機器に対する制御情報を表示する配電盤表示手段と、
監視対象の配電機器である監視対象機器を選択する機器選択手段と、
前記管理装置との間で情報の送受信を制御する配電盤制御手段と、
を備え、
前記監視対象の配電盤の前記配電盤制御手段は、前記機器選択手段で選択された前記監視対象機器の情報を、前記管理装置制御手段経由で前記メモリ手段に格納し、
前記携帯端末の前記携帯端末制御手段は、前記メモリ手段に格納されている前記監視対象機器の情報を、前記管理装置制御手段経由で取得し、前記携帯端末表示手段に表示する、
ことを特徴とする配電盤監視システム。
【請求項１７】
前記携帯端末の前記携帯端末制御手段は、前記監視対象機器に対して規定された表示パターンを前記携帯端末表示手段に表示する、
ことを特徴とする請求項１６に記載の配電盤監視システム。
【請求項１８】
前記監視対象の配電盤の前記配電盤制御手段は、前記機器選択手段で選択された前記監視対象機器の情報および規定された文字情報を、前記管理装置制御手段経由で前記メモリ手段に格納し、
前記携帯端末の前記携帯端末制御手段は、前記メモリ手段に格納されている前記監視対象機器の情報および前記文字情報を、前記管理装置制御手段経由で取得し、前記携帯端末表示手段に表示する、
ことを特徴とする請求項１６または１７に記載の配電盤監視システム。
【発明の詳細な説明】
【技術分野】
【０００１】
本発明は、携帯端末、管理装置、配電盤および配電盤監視システムに関する。
【背景技術】
【０００２】
従来、通信装置、生産設備等の機器の状態を監視する場合に、携帯端末を備えている操作員側から、ＧＰＳ（Global  Positioning  System）による位置情報を監視側に通知している。監視側では、操作員の位置情報と携帯端末の識別子とを対応付けて管理し、監視側から操作員の位置をリアルタイムに把握して、操作員に対して、操作員の位置に対応した監視対象機器について指示を与えている（例えば、下記特許文献１）。
【先行技術文献】
【特許文献】
【０００３】
【特許文献１】特開２００８−２２２２２号公報
【発明の概要】
【発明が解決しようとする課題】
【０００４】
しかしながら、上記従来の技術によれば、監視側では、ＧＰＳの情報に基づいて操作員の位置を取得しており、操作員の位置情報はＧＰＳの精度に依存する。そのため、操作員の位置が正確に取得できない場合、監視側から操作員に対して適切な指示ができず、操作員も、監視対象としている機器と監視側で指示の対象としている機器とが一致しているかどうか判断できない、という問題があった。
【０００５】
本発明は、上記に鑑みてなされたものであって、監視対象の機器を容易に特定可能な携帯端末、管理装置、配電盤および配電盤監視システムを得ることを目的とする。
【課題を解決するための手段】
【０００６】
上述した課題を解決し、目的を達成するために、本発明は、携帯端末、管理装置および複数の配電盤から構成される配電盤監視システムの前記携帯端末であって、各配電盤の構成情報を保持する構成情報保存手段と、前記構成情報に基づいて、監視対象の配電盤の構成を表示する携帯端末表示手段と、前記監視対象の配電盤の構成から監視対象の配電機器である監視対象機器を選択する機器選択手段と、前記管理装置との間で情報の送受信を制御する携帯端末制御手段と、を備え、前記監視対象の配電盤が、前記管理装置が備えるメモリ手段に格納されている前記監視対象機器の情報を取得して表示する場合に、前記携帯端末の前記携帯端末制御手段は、前記機器選択手段で選択された前記監視対象機器の情報を前記メモリ手段に格納する、ことを特徴とする。
【発明の効果】
【０００７】
本発明によれば、監視対象の機器を容易に特定できる、という効果を奏する。
【図面の簡単な説明】
【０００８】
【図１】図１は、実施の形態１の配電盤監視システムの構成例を示す図である。
【図２】図２は、実施の形態１の携帯端末、ＰＬＣおよび配電盤の構成例を示す図である。
【図３】図３は、携帯端末で選択された監視対象機器の情報を配電盤の表示部に表示する様子を示す図である。
【図４】図４は、配電盤で選択された監視対象機器の情報を携帯端末の表示部に表示する様子を示す図である。
【発明を実施するための形態】
【０００９】
以下に、本発明にかかる携帯端末、管理装置、配電盤および配電盤監視システムの実施の形態を図面に基づいて詳細に説明する。なお、この実施の形態によりこの発明が限定されるものではない。
【００１０】
実施の形態１．
図１は、本実施の形態の配電盤監視システムの構成例を示す図である。配電盤監視システムは、携帯端末１と、無線ＬＡＮ（Local  Area  Network）通信機２と、ＰＬＣ（Programmable  Logic  Controller）３と、配電盤４，５，６，７と、を備える。携帯端末１は、無線通信により無線ＬＡＮ通信機２と接続している。無線ＬＡＮ通信機２は、有線接続によりＰＬＣ３と接続している。ＰＬＣ３は、有線接続により配電盤４〜７と接続している。携帯端末１は、無線ＬＡＮ通信機２およびＰＬＣ３を介して、配電盤４〜７と接続している。配電盤４〜７の監視を行う監視員は、携帯端末１を用いて各配電盤を監視することができる。
【００１１】
なお、ここでは、携帯端末の数が１つとなっているが、一例であり、配電盤監視システムにおいて、２つ以上の携帯端末を備えるようにしてもよい。また、配電盤の数が４つとなっているが、一例であり、これに限定するものではない。図１において、配電盤５〜７については構成を簡略化しているが、配電盤４と同様、内部に１つ以上の配電機器を備えているものとする。
【００１２】
図２は、本実施の形態の携帯端末１、ＰＬＣ３および配電盤４の構成例を示す図である。配電盤４〜７は、内部に備える配電機器の種類が異なるが、配電機器以外の構成は同様のため、ここでは配電盤４のみを示す。携帯端末１は、表示部１１と、構成情報保存部１２と、制御部１３と、無線ＬＡＮ通信部１４と、を備える。また、ＰＬＣ３は、通信部３１と、制御部３２と、メモリ３３と、を備える。また、配電盤４は、配電機器ア４１と、配電機器イ４２と、表示部４３ａおよび制御部４３ｂを備える表示盤４３と、を備える。
【００１３】
携帯端末１は、配電盤４〜７を監視する監視員が携帯可能なタブレット等の通信機器である。携帯端末１において、表示部１１は、構成情報保存部１２が保存している配電盤４〜７の情報を用いて、監視対象の配電盤（以降の説明において、監視対象の配電盤を配電盤４とする）について、配電盤４が備えている配電機器ア４１，イ４２の情報を表示する。表示部１１として、監視員からの指示をタッチにより受け付け可能な画面を想定している。構成情報保存部１２は、配電盤監視システムに接続されている配電盤４〜７の構成情報を保存する。制御部１３は、携帯端末１の動作を制御する。また、制御部１３は、自装置の無線ＬＡＮ通信部１４、および無線ＬＡＮ通信機２を介して、ＰＬＣ３との間で制御情報等の情報を送受信する制御を行う。無線ＬＡＮ通信部１４は、無線ＬＡＮ通信機２と無線通信によって接続し、制御情報等を送受信する。
【００１４】
無線ＬＡＮ通信機２は、携帯端末１と無線接続し、ＰＬＣ３と有線接続する。携帯端末１からの制御情報等の情報をＰＬＣ３へ転送し、ＰＬＣ３からの制御情報等の情報を携帯端末１へ転送する。なお、ここでは、無線ＬＡＮ通信機２とＰＬＣ３は異なる構成としているが、ＰＬＣ３の内部に無線ＬＡＮ機能を備え（無線ＬＡＮ通信機２を含み）、一体の構成としてもよい。
【００１５】
ＰＬＣ３は、携帯端末１から配電盤４への制御情報、また、配電盤４から携帯端末１への制御情報を格納する。ＰＬＣ３は、配電盤監視システムにおける監視作業において送受信される制御情報を管理する管理装置である。通信部３１は、無線ＬＡＮ通信機２と有線接続し、制御情報等を送受信する。制御部３２は、ＰＬＣ３の動作を制御する。また、制御部３２は、自装置の通信部３１および無線ＬＡＮ通信機２を介して、携帯端末１との間で制御情報等の情報を送受信する制御を行う。メモリ３３は、制御部３２の制御により、携帯端末１から送信された制御情報等の情報を格納し、また、配電盤４から送信された制御情報等の情報を格納する。携帯端末１および配電盤４では、それぞれ制御部３２を介してメモリ３３にアクセスすることで、自装置宛の制御情報等を読み出すことができる。
【００１６】
配電盤４は、配電盤監視システムにおいて、携帯端末１による監視対象となる配電盤である。配電機器ア４１および配電機器イ４２は、配電盤４を構成する配電機器である。携帯端末１では、配電盤４を構成する配電機器ア４１および配電機器イ４２の単位で監視を行うことができる。表示盤４３では、配電盤４の動作を制御する制御部４３ｂが、ＰＬＣ３のメモリ３３にアクセスして格納されている制御情報等を取得し、取得した制御情報等を表示部４３ａに表示する。
【００１７】
つづいて、配電盤監視システムにおいて、携帯端末１側での操作により、監視対象の配電盤４を特定する動作について説明する。
【００１８】
まず、携帯端末１において、監視動作を行う場合、表示部１１では、構成情報保存部１２に保存されている配電盤監視システムの情報に基づいて、監視対象となる配電盤４〜７から監視対象となる配電盤を監視員によって選択可能な表示を行う。例えば、表示部１１は、表示画面中に配電盤４〜７を一覧形式または配置図等により表示を行う。監視員が監視対象の配電盤（ここでは配電盤４とする）を選択すると、携帯端末１の表示部１１では、図１に示すように、実際の配電盤４、配電盤４を構成する配電機器ア４１および配電機器イ４２に対応した、配電盤１０４、配電機器ア１４１および配電盤イ１４２の表示を行う。なお、表示部１１は、ここでは、１つの配電盤のみを表示しているが、一例であり、２つ以上の配電盤を同時に表示してもよい。
【００１９】
ここで、本実施の形態では、携帯端末１の表示部１１において、配電機器ア１４１および配電機器イ１４２の部分に、監視対象とする配電機器（監視対象機器）としての選択を受け付けるボタンを設ける。
【００２０】
図３は、携帯端末１で選択された監視対象機器の情報を配電盤４の表示部４３ａに表示する様子を示す図である。表示内容を説明するための図のため、無線ＬＡＮ通信機２およびＰＬＣ３については省略している。携帯端末１の表示部１１において、配電盤１０４の配電機器ア１４１および配電機器イ１４２に、それぞれ選択ボタン１４１ａ，１４２ａが設定されている。
【００２１】
例えば、監視員によって配電機器ア１４１の選択ボタン１４１ａが選択されて押された場合、携帯端末１では、表示部１１が、配電機器ア１４１の選択ボタン１４１ａが選択された旨を構成情報保存部１２へ通知する。構成情報保存部１２は、保存している配電盤４〜７の情報に基づいて、配電機器ア１４１が実際の配電盤４の配電機器ア４１に相当するものとして対応付け、配電機器ア４１が監視対象機器として選択された旨を制御部１３へ通知する。制御部１３は、無線ＬＡＮ通信部１４から、監視対象機器が配電盤４の配電機器ア４１である制御情報を配電盤４側へ送信する。
【００２２】
配電盤４側では、ＰＬＣ３の通信部３１が、無線ＬＡＮ通信機２経由で携帯端末１からの制御情報を受信する。そして、ＰＬＣ３の制御部３２は、受信した制御情報をメモリ３３へ格納する。
【００２３】
配電盤４では、例えば、制御部４３ｂが、定期的にＰＬＣ３のメモリ３３にアクセスする。配電盤４に関する制御情報がメモリ３３に格納されている場合、制御部４３ｂは、メモリ３３から制御情報を読み出して、表示部４３ａに制御情報の内容、詳細には配電機器ア４１が監視対象機器であることを表示する。
【００２４】
携帯端末１で配電機器ア１４１のボタン１４１ａが選択された場合、配電盤４では、取得した制御情報に基づいて、監視対象機器が配電機器ア４１であることを示す表示を行う。例えば、配電盤４の表示部４３ａが７セグメント表示の場合、配電機器ア４１を識別する情報として「ア」に対応する「１」を表示することで、配電盤４では、監視対象機器が配電機器ア４１であることを表示することができる。配電盤４では、監視対象機器が配電機器イ４２の場合は、配電機器イ４２を識別する情報として「イ」に対応する「２」を表示する。なお、図３での配電盤４の表示方法は一例であり、配電盤４の表示部４３ａで「ア」「イ」と表示可能であれば「ア」「イ」と表示してもよい。
【００２５】
また、配電盤４では、監視対象機器を識別する情報「ア」「イ」の表示とあわせて、文字列等の情報を表示してもよい。配電盤４では、あらかじめ表示する文字列（図３では「ＰＵＳＨ」）の内容を設定しておくことで、携帯端末１側から通知する情報量を増加させることなく、表示部４３ａに表示を行うことができる。
【００２６】
このように、携帯端末１を所持している監視員は、携帯端末１上で監視対象機器を選択した場合に、選択した配電機器に対応する表示が、当該配電機器を備えている配電盤４の表示部４３ａ上でも確認できるため、監視対象機器と目の前にある実際の配電盤４の配電機器との関係を容易に特定することができる。
【００２７】
なお、配電盤監視システムにおいて、携帯端末１で監視対象の配電機器ア１４１を選択することによって、実際の配電盤４の配電機器ア４１を監視・制御することができる。監視・制御のコマンドを送信する方法としてのＰＬＣ３の通信インタフェースは一般的に公開されているため、監視・制御の詳細な説明については省略する。
【００２８】
また、携帯端末１と配電盤４〜７側とは、無線ＬＡＮによる通信を行っているが、一例であり、他の通信方法を採用してもよい。また、ＰＬＣ３が携帯端末１からの制御情報を格納する管理装置として機能しているが、一例であり、例えば、サーバ、中継装置等がメモリ３３を備えて対応してもよい。
【００２９】
また、配電盤４では、ＰＬＣ３のメモリ３３に定期的にアクセスして自装置に関する制御情報を読み出していたが、これに限定するものではない。ＰＬＣ３の制御部３２が、メモリ３３に格納されている制御情報について、その制御情報に対応する配電盤へ送信してもよい。
【００３０】
以上説明したように、本実施の形態によれば、配電盤監視システムでは、監視員が携帯端末１で監視対象機器を選択した場合に、選択された監視配電機器を備える配電盤において、監視対象機器を示す情報を表示することとした。これにより、監視員は、携帯端末１から選択した監視配電機器の所在が、実際にその監視配電機器を備えている配電盤の表示上で確認できるため、実際の監視対象機器を容易に特定し、監視対象機器を監視・制御することができる。
【００３１】
実施の形態２．
実施の形態１では、携帯端末１で監視対象の配電盤および配電機器を選択し、配電盤の表示盤にて監視対象の配電盤および配電機器であることを表示する方法について説明した。本実施の形態では、配電盤側で監視対象機器を選択し、携帯端末１の表示部１１にて監視対象の配電盤、配電機器を表示する方法について説明する。
【００３２】
図４は、配電盤４で選択された監視対象機器の情報を携帯端末１の表示部１１に表示する様子を示す図である。表示内容を説明するための図のため、無線ＬＡＮ通信機２およびＰＬＣ３については省略している。配電盤４の表示盤４３には、監視対象機器として配電機器ア４１または配電機器イ４２を選択可能な選択ボタン４３ｃが備え付けられている。
【００３３】
例えば、監視員が選択ボタン４３ｃを操作して監視対象として配電機器ア４１が選択された場合、配電盤４では、制御部４３ｂは、配電機器ア４１が選択された旨、すなわち、監視対象が配電盤４の配電機器ア４１である制御情報をＰＬＣ３へ通知する。
【００３４】
ＰＬＣ３の制御部３２は、通知された制御情報をメモリ３３へ格納する。
【００３５】
携帯端末１では、例えば、制御部１３が、無線ＬＡＮ通信部１４、無線ＬＡＮ通信機２、ＰＬＣ３の通信部３１および制御部３２を経由して、定期的にＰＬＣ３のメモリ３３にアクセスする。携帯端末１に関する制御情報がメモリ３３に格納されている場合、制御部１３は、メモリ３３から制御情報を読み出して、表示部１１に制御情報の内容、詳細には配電機器ア４１が監視対象であることを表示する。例えば、携帯端末１では、図４のように、監視対象が配電機器ア４１であること示すマーク１４１ｂを、表示部１１の配電機器ア１４１のエリア内に表示する。
【００３６】
なお、携帯端末１では、ＰＬＣ３のメモリ３３に定期的にアクセスして自装置に関する制御情報を読み出していたが、これに限定するものではない。ＰＬＣ３の制御部３２が、メモリ３３に格納されている制御情報について、その制御情報に対応する携帯端末へ送信してもよい。
【００３７】
以上説明したように、本実施の形態によれば、配電盤監視システムでは、監視員が配電盤４で監視対象機器を選択した場合に、選択された配電機器の情報を、監視員が備える携帯端末１に表示することとした。これにより、監視員は、携帯端末１の表示部１１内で表示されている配電盤１０４の配電機器ア１４１が監視対象と確認できるため、実際の監視対象機器を容易に特定し、監視対象機器を監視・制御することができる。
【００３８】
実施の形態３．
実施の形態１では、監視員が、携帯端末１の表示部１１にある選択ボタン１４１ａまたは１４２ａを選択することで、配電盤４では、表示部４３ａに監視対象機器を識別する情報を表示していた。この場合において、監視員が、携帯端末１において任意の文字列を入力または選択すると、携帯端末１は、その文字列の情報を前述の制御情報に含めてＰＬＣ３のメモリ３３に格納する。配電盤４では、文字列の情報を含む制御情報をＰＬＣ３のメモリ３３から読み出して、配電機器ア４１が監視対象である情報とともに、任意の文字列を表示部４３ａに表示してもよい。
【００３９】
実施の形態４．
また、実施の形態１，３では、携帯端末１で選択された監視対象機器の情報を、配電盤４の表示部４３ａに表示していたが、表示方法はこれに限定するものではない。例えば、配電盤４が監視対象機器を識別可能な表示灯を備え、その表示灯を点灯、点滅、消灯、表示色の変化等により監視対象機器を特定してもよい。
【００４０】
実施の形態５．
実施の形態２では、監視対象機器の選択のために表示盤４３に選択ボタン４３ｃを設定していたが、配電盤４からの監視対象機器の選択方法はこれに限定するものではない。例えば、配電盤４の表示盤４３に備え付けられているボタン操作により任意の文字列を入力することで、監視対象機器を選択してもよい。この場合、携帯端末１では、実施の形態２と同様、表示部１１の配電機器ア１４１のエリア内に、監視対象が配電機器ア４１であること示すマーク１４１ｂを表示する。
【００４１】
実施の形態６．
実施の形態２，５では、配電盤４で選択された監視対象機器について、携帯端末１では、表示部１１の配電機器ア１４１のエリア内にマーク１４１ｂを表示していたが、携帯端末１での表示方法はこれに限定するものではない。例えば、実施の形態５で説明したように、配電盤４の表示盤４３に備え付けられているボタン操作により任意の文字列が入力された場合、配電盤４は、その文字列の情報を前述の制御情報に含めてＰＬＣ３のメモリ３３に格納する。携帯端末１では、文字列の情報を含む制御情報をＰＬＣ３のメモリ３３から読み出して、配電機器ア４１が監視対象である情報とともに、任意の文字列を表示部１１に表示してもよい。
【産業上の利用可能性】
【００４２】
以上のように、本発明にかかる携帯端末、管理装置、配電盤および配電盤監視システムは、機器の監視に有用であり、特に、複数の機器を監視する場合に適している。
【符号の説明】
【００４３】
１  携帯端末、２  無線ＬＡＮ通信機、３  ＰＬＣ、４，５，６，７  配電盤、１１  表示部、１２  構成情報保存部、１３  制御部、１４  無線ＬＡＮ通信部、３１  通信部、３２  制御部、３３  メモリ、４１  配電機器ア、４２  配電機器イ、４３  表示盤、４３ａ  表示部、４３ｂ  制御部、４３ｃ，１４１ａ，１４２ａ  選択ボタン。
【図１】
2015216751.tif 000003
【図２】
2015216751.tif 000004
【図３】
2015216751.tif 000005
【図４】
2015216751.tif 000006